(57)【特許請求の範囲】
【請求項１】
融着接続した光ファイバ接合部を補強する補強スリーブを保持する主保持部の上部に主保持部の両側に立設した枠板材の中央に切込部を形成した第１副保持部を設け、前記第１副保持部に光アダプタを前記主保持部に立ち上げて平行に設けた小径ホルダー部と大径ホルダー部の上端に支持させたうえ枠板材の間に光アダプタの胴部を嵌合するとともに該胴部に張設した固定板部を切込部に係合させて取り付けたことを特徴とする光ファイバ接合部保持部材。
【請求項２】
主保持部の片側に第１副保持部の枠板材の両側に立設した柱体の上部に対向して蝶番取付手段の一方である短軸部を設けてなる第２副保持部を設けた請求項１に記載の光ファイバ接合部保持部材。
【請求項３】
第２副保持部に光ファイバ部品保持部材を取り付けた請求項２に記載の光ファイバ接合部保持部材。
【請求項４】
光ファイバ部品保持部材が光アダプタ保持部材である請求項３に記載の光ファイバ接合部保持部材。
【請求項５】
光ファイバ部品保持部材がダム・光カプラ保持部材である請求項３に記載の光ファイバ接合部保持部材。
【発明の詳細な説明】
【０００１】
【発明の属する技術分野】
本発明は、光接続箱内で融着接続した光ファイバケーブルの光ファイバ接合部を保持する光ファイバ接合部保持部材に関するものである。
【０００２】
【従来の技術】
光ファイバケーブルの接続には、融着接続とコネクタ接続がある。そのうち融着接続にあっては、スリーブ等の補強材で保護した接合部が動くと心線の接続部の根本付近が小曲がりが生じたり、或いは、心線に戻り力、引張力が加わり伝送損失が増加する虞がある。そこで、図１２に示すような保持部材１０１にスリーブ等を保持させている。また、コネクタ接続にあっては光アダプタ１０２を光接続箱１００内に取付枠１０３をもって別に設置していた。
【０００３】
【発明が解決しようとする課題】
ところが、このような従来のものは光接続箱１００内に保持部材１０１と光アダプタ１０２を別に設置するため、部品がその分多くなり、また、設置面積が広くなってこれを設置する光接続箱も大型化する問題があった。
【０００４】
【課題を解決するための手段】
前記の課題を解決するためになされた本発明は、融着接続した光ファイバ接合部を補強する補強スリーブを保持する主保持部の上部に主保持部の両側に立設した枠板材の中央に切込部を形成した第１副保持部を設け、前記第１副保持部に光アダプタを前記主保持部に立ち上げて平行に設けた小径ホルダー部と大径ホルダー部の上端に支持させたうえ枠板材の間に光アダプタの胴部を嵌合するとともに該胴部に張設した固定板部を切込部に係合させて取り付けたものを請求項１に記載の発明とし、この発明において、主保持部の片側に第１副保持部の枠板材の両側に立設した柱体の上部に対向して蝶番取付手段の一方である短軸部を設けたものを請求項２に記載の発明とする。そして、前記請求項２に記載の発明において、第２副保持部に光ファイバ部品保持部材を取り付けたものを請求項３に記載の発明とし、前記請求項３において、光ファイバ部品保持部材が光アダプタ保持部材であるものを請求項４に記載の発明とし、前記請求項３に記載の発明において、光ファイバ部品保持部材がダム・光カプラ保持部材であるものを請求項５に記載の発明とする。
【０００５】
【発明の実施の形態】
次に、本発明の好ましい実施形態を説明する。
１は光接続箱１００のトレー１００ａに取り付けた融着接続した光ファイバ接合部を補強する補強スリーブ１０４を保持する主保持部であり、該主保持部１には単心用の小径ホルダー部１１とテープ心用の大径ホルダー部１２が平行に設けられている。そして、これらの小径ホルダー部１１及び大径ホルダー部１２には光ファイバ接合部を補強した補強スリーブ１０４が保持されている。
【０００６】
２は前記主保持部１の上部に設けた副保持部であり、該副保持部２は主保持部１の両側に立設した枠板材２１ａ，２１ａの中央に切込部２１ｂ、２１ｂを形成したうえ該切込部２１ｂ、２１ｂの端部に外向きの鍔板部２１ｃ、２１ｃを張設してなる第１副保持部２１と、主保持部１の片側に前記枠板材２１ａの両側に立設した柱体２２ａ、２２ａの上部に対向して蝶番取付手段の一方である短軸部２２ｂを設けてなる第２副保持部２２から構成されている。
【０００７】
そして、副保持部２の第１副保持部２１には、光アダプタ３が前記主保持部１に立ち上げて平行に設けた小径ホルダー部１１と大径ホルダー部１２の上端に支持させたうえ、図１、図２及び図３に示すように光アダプタ３が枠板材２１ａ，２１ａの間に胴部３ａを嵌合するとともに該胴部３ａに張設した固定板部３ｂを切込部２１ｂ、２１ｂに係合させたうえ固定板部３ｂを鍔板部２１ｃ、２１ｃにネジ止めや鍔板部２１ｃに凸部２１ｄを設け、固定板部３ｂに凹部３ｃを設け、凸部２１ｄと凹部３ｃを嵌め合わせ等の手段で固定して取り付けられるものである。
【０００８】
また、副保持部２の第２副保持部２２の柱体２２ａ、２２ａの上部に対向して設けてなる蝶番取付手段の一方である短軸部２２ｂには、光アダプタ、多心−単心変換コード（ダム）、光カプラや補強スリーブ等の光ファイバ部品を保持する光ファイバ部品保持部材４の下端一側に設けてなる蝶番取付手段の他方である軸孔部４ａが着脱自在に軸支可能とされて取り付けられている。
【０００９】
すなわち、この光ファイバ部品保持部材４としては、図６〜図８に示す前記主保持部１と副保持部２を設けてなる上段積用光ファイバ接合部保持部材４１を始め、図９に示す光アダプタ３を取り付けるアダプタ保持部材４２、図１０に示すダム・光カプラア保持部材４３、図１１に示す補強スリーブ保持部材４４がある。これら何れの光ファイバ保持部材４は上部に同一或いは他の種類の光ファイバ部品保持部材４を段積できるように、下端一側に設けてなる蝶番取付手段の他方である軸孔部４ａに対応させた蝶番取付手段の一方である短軸部２２ｂすなわち第２副保持部２２を設けてある。
【００１０】
このように構成された光ファイバ接合部保持部材は、図４に示すように光接続箱１００のトレー１００ａに設けた取付爪１００ｂに主保持部１の両側に設けた係止部１ａを係合させて図１及び図５に示すように取り付ける。そして、融着接続した光ファイバ接合部を補強した補強スリーブ１０４を主保持部１で保持する。これにより、光ファイバケーブルに心線の接続部の根本付近が小曲がりが生じたり、或いは、心線に戻り力、引張力が加わり伝送損失が増加する虞はないものである。なお、この場合に主保持部１が単心用の小径ホルダー部１１とテープ心用の大径ホルダー部１２が平行に設けたものであれば夫々に対応した太さの補強スリーブを保持することは勿論である。
【００１１】
また、本発明の特長とするところは、主保持部１の上部に副保持部２を設けたものであるから、該副保持部２に他の光ファイバ部品すなわち光アダプタ３を取り付けできるものである。すなわち、主保持部１の両側に立設した枠板材２１ａ，２１ａの中央に切込部２１ｂ、２１ｂを形成したうえ該切込部２１ｂ、２１ｂの端部に外向きの鍔板部２１ｃ、２１ｃを張設してなる第１副保持部２１には図１〜図５に示すように光アダプタ３が枠板材２１ａ，２１ａの間に胴部３ａを嵌合するとともに該胴部３ａに張設した固定板部３ｂを切込部２１ｂ、２１ｂに係合させたうえ固定板部３ｂを鍔板部２１ｃ、２１ｃにネジ止めや鍔板部２１ｃに凸部２１ｄを設け、固定板部３ｂに凹部３ｃを設け、凸部２１ｄと凹部３ｃを嵌め合わせ等の手段で固定して取り付けることができるので、光アダプタ３を別異の箇所に取付枠をもって取り付ける必要がないので光接続箱が小型かできるうえ部品点数も少なくできるものである。
【００１２】
また、本発明は副保持部２として前記第１副保持部の他に、主保持部１の片側に立設した柱体２２ａ、２２ａの上部に対向して蝶番取付手段の一方である短軸部２２ｂを設けてなる第２副保持部２２を設けたものであるから、該第２副保持部２２に光ファイバ部品保持部材４の下端一側に設けてなる蝶番取付手段の他方である軸孔部４ａが着脱自在に軸支して該光ファイバ部品保持部材４を取り付ければ、該光ファイバ部品保持部材４に対応した光ファイバ部品を取り付けできるものである。
【００１３】
すなわち、光ファイバ部品としての補強スリーブ１０４と光アダプタ３を取り付ける前記主保持部１と副保持部２を構成した上段積光ファイバ接合保持部材４１を取り付ければ図６〜図８に示すように蝶番取付手段２２ｂ、４ａを起点に起伏自在に段積でき、多数の補強スリーブの保持及びコネクタ接続ができるものである。
【００１４】
また、前記上段積用光ファイバ接合保持部材４１に代わりに、図９に示す光アダプタ３を取り付ける光アダプタ保持部材４２、図１０に示す多心−単心変換コード（ダム）や光カプラを保持するダム・光カプラア保持部材４３、図１１に示す補強スリーブ保持部材４４を取り付けることにより、これらが段積されて省スペース化が図られる他にこれらを適宜組み合わせることにより、光ファイバの種々の配線に適応できるものである。さらに、蝶番取付手段２２ｂ、４ａを起点に上段の光ファイバ接合保持部材を起伏自在に段積できるので下段の光ファイバの配線がし易くなる。
【００１５】
【発明の効果】
前記したように、本発明に係る光ファイバ接合部保持部材は、融着接続した光ファイバ接合部を保持する主保持部の上部に副保持部を設けたものであるから、部品点数を少なくすることができるうえ、省スペース化ができ光接続箱を小型化できるものである。
従って、従来の問題点を解決したものであり、業界にもたらす益大なものである。
【図面の簡単な説明】
【図１】本発明の実施形態を示す斜視図である。
【図２】本発明の実施形態を分解して示す斜視図である。
【図３】本発明の実施形態の要部を分解して示す斜視図である。
【図４】本発明の実施形態の要部を分解して示す正面視図である。
【図５】本発明の実施形態の要部を示す正面図である。
【図６】本発明の実施形態の他例の要部を示す正面図である。
【図７】本発明の実施形態の他例の要部を態様を異にして示す正面図である。
【図８】本発明の実施形態の他例の要部を態様を異にして示す正面図である。
【図９】本発明の実施形態に使用する光アダプタ保持部材を示す正面図である。
【図１０】本発明の実施形態に使用するダム・カプラ保持部材を示す正面図である。
【図１１】本発明の実施形態に使用する補強スリーブ保持部材を示す正面図である。
【図１２】従来例を示す斜視図である。
【符号の説明】
１  主保持部
２  副保持部
21第１副保持部
22第２副保持部
３  光アダプタ
４  光ファイバ部品保持部材
42光アダプタ保持部材
43ダム・光カプラア保持部材
【図１】
0003771503.tif 000002
【図２】
0003771503.tif 000003
【図３】
0003771503.tif 000004
【図４】
0003771503.tif 000005
【図５】
0003771503.tif 000006
【図６】
0003771503.tif 000007
【図７】
0003771503.tif 000008
【図８】
0003771503.tif 000009
【図９】
0003771503.tif 000010
【図１０】
0003771503.tif 000011
【図１１】
0003771503.tif 000012
【図１２】
0003771503.tif 000013